(57)【要約】【課題】移動端末に提供するコンテンツ配信サービスにおける品質の劣化防止または向上を図る。【解決手段】１つ以上の物理インタフェースを有する移動端末１と無線通信を行う基地局２と通信ネットワーク４を介して接続されている接続情報サーバ３は、少なくとも移動端末が基地局との接続に用いている物理インタフェースの情報を含む接続情報を保持する接続情報保持手段３１を含む。基地局２は、移動端末との間の接続状態が変化すると、接続情報サーバ３にその移動端末１についての接続情報を更新させる接続情報更新手段２１を含む。コンテンツサーバ５は、接続情報サーバ３からコンテンツの配信を要求された移動端末１についての接続情報を取得する接続情報取得手段５１と、接続情報取得手段５１により取得された接続情報に基づき、コンテンツの配信を制御するコンテンツ配信制御手段５２とを含む。【選択図】図１３
2010287039.tif 000002
【特許請求の範囲】
【請求項１】
１つ以上の物理インタフェースを有する移動端末が前記物理インタフェースを用いて無線通信を行う基地局と、
少なくとも前記基地局を備える通信システム内の通信ネットワークにより前記基地局と接続されている接続情報サーバと、
前記移動端末にコンテンツを配信するコンテンツサーバとを備え、
前記接続情報サーバは、少なくとも移動端末が基地局との接続に用いている物理インタフェースの情報を含む接続情報を保持する接続情報保持手段を含み、
前記基地局は、移動端末との間の接続状態が変化すると、前記接続情報サーバに、当該移動端末についての前記接続情報を更新させる接続情報更新手段を含み、
前記コンテンツサーバは、
前記接続情報サーバから、コンテンツの配信を要求された移動端末についての接続情報を取得する接続情報取得手段と、
前記接続情報取得手段により取得された接続情報に基づき、コンテンツの配信を制御するコンテンツ配信制御手段とを含む
ことを特徴とするコンテンツ配信システム。
【請求項２】
接続情報取得手段は、接続情報サーバに、指定した移動端末の接続情報の更新を通知する旨の設定を行わせる接続更新通知設定手段を有し、
接続情報サーバは、接続情報が更新されると、当該接続情報の更新通知の設定内容に応じて、更新後の接続情報を通知する接続更新通知手段を含む
請求項１に記載のコンテンツ配信システム。
【請求項３】
接続情報保持手段は、接続情報として、移動端末が有する接続物理インタフェースの数、インタフェース毎の利用可能帯域、物理インタフェースの種類、移動端末が基地局との接続に用いている物理インタフェースの識別子のうち少なくとも１つを含む情報を保持する
請求項１または請求項２に記載のコンテンツ配信システム。
【請求項４】
コンテンツサーバと移動端末間のパケットの転送を行うゲートウェイ装置を備え、
前記ゲートウェイ装置は、
宛先とされた移動端末が複数の物理インタフェースを用いて基地局と接続している場合に、コンテンツサーバから前記移動端末へのパケットを、前記複数の物理インタフェースに分散させて転送するパケット転送手段を含む
請求項１から請求項３のうちのいずれか１項に記載のコンテンツ配信システム。
【請求項５】
コンテンツサーバと移動端末間のパケットの転送を行うゲートウェイ装置を備え、
前記ゲートウェイ装置は、
前記コンテンツサーバから前記移動端末へのパケットが属するフローと転送先との対応関係を示すフロー転送情報を記憶するフロー転送情報記憶手段と、
前記フロー転送情報記憶手段に保持されているフロー転送情報に基づいて、前記コンテンツサーバから前記移動端末へのパケットが属するフローを識別し転送するフロー転送手段とを含み、
コンテンツサーバは、接続情報取得手段により取得された接続情報に基づき、前記フロー転送情報記憶手段に記憶されているフロー転送情報を更新するフロー転送設定手段を含み、
コンテンツ配信制御手段は、コンテンツ配信に用いるパケットに、前記フロー転送設定手段が更新したフロー転送情報に登録しているフローに属することを識別させるためのフロー情報を埋め込んで、送出する
請求項１から請求項４のうちのいずれか１項に記載のコンテンツ配信システム。
【請求項６】
コンテンツ配信制御手段は、コンテンツの配信制御として、データの送信レートの増減、拡張レイヤの送信有無の決定のうち少なくとも１つを行う
請求項１から請求項５のうちのいずれか１項に記載のコンテンツ配信システム。
【請求項７】
少なくともコンテンツサーバからの要求に応じて、内部ネットワークである前記通信ネットワークに属する通信ノードが有する情報の変更、情報の取得を行うインタフェースサーバを備え、
接続情報取得手段は、前記インタフェースサーバに要求をすることにより、接続情報サーバに対して情報の変更または情報の取得を行う
請求項１から請求項６のうちのいずれか１項に記載のコンテンツ配信システム。
【請求項８】
少なくともコンテンツサーバからの要求に応じて、内部ネットワークである前記通信ネットワークに属する通信ノードの設定の変更、情報の取得を行うインタフェースサーバを備え、
フロー転送設定手段は、前記インタフェースサーバに要求をすることにより、ゲートウェイに対して情報の変更を行う
請求項６に記載のコンテンツ配信システム。
【請求項９】
１つ以上の物理インタフェースを有する移動端末にコンテンツを配信するコンテンツ配信方法であって、
前記移動端末が前記物理インタフェースを用いて無線通信を行う基地局が、移動端末との間の接続状態が変化すると、当該基地局を備える通信システム内の通信ネットワークに接続されている接続情報サーバに保持されている接続情報であって少なくとも移動端末が基地局との接続に用いている物理インタフェースの情報を含む情報である接続情報を更新する接続情報更新ステップと、
移動端末にコンテンツを配信するコンテンツサーバが、接続情報サーバから、コンテンツの配信を要求された移動端末についての接続情報を取得する接続情報取得ステップと、
前記コンテンツサーバが、取得された接続情報に基づき、コンテンツの配信を制御するコンテンツ配信制御ステップとを含む
ことを特徴とするコンテンツ配信方法。
【請求項１０】
コンテンツサーバが、接続情報サーバに、指定した移動端末の接続情報の更新を通知する旨の設定を行わせる更新通知設定ステップと、
接続情報サーバが、接続情報が更新されると、当該接続情報の更新通知の設定内容に応じて、更新後の接続情報を通知する更新通知ステップとを含み、
接続情報取得ステップでは、前記更新通知ステップにより通知された接続情報を受信することにより、接続情報を取得する
請求項９に記載のコンテンツ配信方法。
【請求項１１】
コンテンツサーバと移動端末間のパケットの転送を行うゲートウェイ装置が、宛先とされた移動端末が複数の物理インタフェースを用いて基地局と接続している場合に、コンテンツサーバから前記移動端末へのパケットを、前記複数の物理インタフェースに分散させて転送するパケット転送ステップを含む
請求項９または請求項１０に記載のコンテンツ配信方法。
【請求項１２】
コンテンツサーバが、取得された接続情報に基づき、当該コンテンツサーバと移動端末間のパケットの転送を行うゲートウェイ装置に、コンテンツサーバから移動端末へのパケットが属するフローと転送先との対応関係を示す情報であるフロー転送情報を設定するフロー転送情報設定ステップと、
前記ゲートウェイ装置が、設定されているフロー転送情報に基づいて、前記コンテンツサーバから移動端末へのパケットが属するフローを識別し転送するフロー転送ステップとを含み、
コンテンツ配信制御ステップで、前記コンテンツサーバがコンテンツ配信に用いるパケットに、前記フロー転送情報設定ステップで設定したフロー転送情報に登録しているフローに属することを識別させるためのフロー情報を埋め込んで、送出する
請求項９から請求項１１のうちのいずれか１項に記載のコンテンツ配信方法。
【発明の詳細な説明】
【技術分野】
【０００１】
本発明は、移動端末にコンテンツの配信を行うコンテンツ配信システムおよびコンテンツ配信方法に関する。
【背景技術】
【０００２】
近年、無線アクセス網やそれに接続する移動端末の多様化が進んでいる。移動端末にコンテンツの配信を行うコンテンツ配信システムにおいては、このように多様化が進む無線アクセス網や移動端末を考慮し、各移動端末の接続状態に適したコンテンツの配信が行われることが好ましい。
【０００３】
例えば、特許文献１には、コンテンツサーバが、取得したＭＳ情報によって示される移動端末の特性に基づいてコンテンツサービスを提供するコンテンツ配信システムの一例が記載されている。
【先行技術文献】
【特許文献】
【０００４】
【特許文献１】特開２００８−９２５７５号公報
【発明の概要】
【発明が解決しようとする課題】
【０００５】
しかし、特許文献１では、ＭＳ情報として移動端末に関するコーデック情報、解像度情報、タイプ情報、ディスプレイ装置情報およびメモリ情報を用いることを提案している。これらの情報は、いずれも移動端末の表示性能に関する情報であって、移動端末の持つ物理インタフェースの数や帯域、無線の種類といった接続状態に関する情報を含んでいない。従って、特許文献１に記載されているシステムでは、移動端末の接続状態に適したコンテンツの配信を行うことができないという問題があった。
【０００６】
例えば、動画のストリーミング配信やコンテンツのダウンロードなどのサービスにおいて、接続しているインタフェースの数や帯域、種類などに応じて画質や速度を動的に調節されることが好ましいと考えられるが、特許文献１に記載のシステムではそのような対応はできない。例えば、低速なインタフェースだけでサービスを受けている状況から高速なインタフェースを追加して新たなネットワーク接続を得られた場合に、配信側でそのような接続状態の変化（接続インタフェースの追加）が認識されていなければ、以前のままの低速向けのサービスしか提供されずに性能に見合ったサービスが受けられないことになる。また、例えば、高速インタフェースを低速インタフェースに変更した場合に、配信側でそのような接続状態の変化（接続インタフェースの変化）が認識されていなければ、以前のままの高速向けのサービスが提供されることによりデータロスが発生するなどして、結果としてサービスの品質が劣化する可能性がある。
【０００７】
このように、移動端末の接続状態を考慮せずにコンテンツの配信制御が行われると、移動端末の接続状態に対してサービス品質の追従がなされずに、ユーザが受けるサービス品質が劣化したり、受けられるサービス品質よりも劣るサービスしか受けることができないといった問題が生じる可能性がある。
【０００８】
そこで、本発明は、移動端末に提供するコンテンツ配信サービスにおける品質の劣化防止または向上を図ることを目的とする。
【課題を解決するための手段】
【０００９】
本発明によるコンテンツ配信システムは、１つ以上の物理インタフェースを有する移動端末が物理インタフェースを用いて無線通信を行う基地局と、少なくとも基地局を備える通信システム内の通信ネットワークにより基地局と接続されている接続情報サーバと、移動端末にコンテンツを配信するコンテンツサーバとを備え、接続情報サーバは、少なくとも移動端末が基地局との接続に用いている物理インタフェースの情報を含む接続情報を保持する接続情報保持手段を含み、基地局は、移動端末との間の接続状態が変化すると、接続情報サーバに、当該移動端末についての接続情報を更新させる接続情報更新手段を含み、コンテンツサーバは、接続情報サーバから、コンテンツの配信を要求された移動端末についての接続情報を取得する接続情報取得手段と、接続情報取得手段により取得された接続情報に基づき、コンテンツの配信を制御するコンテンツ配信制御手段とを含むことを特徴とする。
【００１０】
また、本発明によるコンテンツ配信方法は、１つ以上の物理インタフェースを有する移動端末にコンテンツを配信するコンテンツ配信方法であって、移動端末が物理インタフェースを用いて無線通信を行う基地局が、移動端末との間の接続状態が変化すると、当該基地局を備える通信システム内の通信ネットワークに接続されている接続情報サーバに保持されている接続情報であって少なくとも移動端末が基地局との接続に用いている物理インタフェースの情報を含む情報である接続情報を更新する接続情報更新ステップと、移動端末にコンテンツを配信するコンテンツサーバが、接続情報サーバから、コンテンツの配信を要求された移動端末についての接続情報を取得する接続情報取得ステップと、コンテンツサーバが、取得された接続情報に基づき、コンテンツの配信を制御するコンテンツ配信制御ステップとを含むことを特徴とする。
【発明の効果】
【００１１】
本発明によれば、移動端末に提供するコンテンツ配信サービスにおける品質の劣化防止または向上を図ることができる。
【図面の簡単な説明】
【００１２】
【図１】第１の実施形態のコンテンツ配信システムの構成例を示すブロック図である。
【図２】第１の実施形態のコンテンツ配信システムの機能ブロックの構成例を示す説明図である。
【図３】接続情報の例を示す説明図である。
【図４】パケット転送手段５０１が保持する経路表の例を示す説明図である。
【図５】第１の実施形態のコンテンツ配信システムの動作例を示すシーケンス図である。
【図６】第２の実施形態のコンテンツ配信システムの構成例を示すブロック図である。
【図７】第２の実施形態のコンテンツ配信システムの動作例を示すシーケンス図である。
【図８】第３の実施形態のコンテンツ配信システムの構成例を示すブロック図である。
【図９】フロー転送情報の例を示す説明図である。
【図１０】フロー転送情報の他の例を示す説明図である。
【図１１】フロー転送情報の他の例を示す説明図である。
【図１２】第３の実施形態のコンテンツ配信システムの動作例を示すシーケンス図である。
【図１３】本発明の概要を示すブロック図である。
【発明を実施するための形態】
【００１３】
実施形態１．
以下、本発明の実施形態について図面を参照して説明する。図１は、本発明の第１の実施形態のコンテンツ配信システムの構成例を示すブロック図である。図１に示すコンテンツ配信システムは、移動端末２０と、基地局６０（より具体的には、基地局６０ａ，６０ｂ）と、接続情報サーバ３０と、コンテンツサーバ１０と、インタフェースサーバ４０と、ゲートウェイ５０とを備える。
【００１４】
なお、図１に示すように、基地局６０とゲートウェイ５０と接続情報サーバ３０とインタフェースサーバ４０は、移動端末２０が属する通信システムが構築する通信ネットワーク２００内のノードとしてそれぞれ接続されているものとする。また、本実施形態では、コンテンツサーバ１０は、通信ネットワーク２００の外部ネットワークであるインターネット１００に接続されているものとする。また、本実施形態では、インターネット１００と通信ネットワーク２００との相互接続のために、インタフェースサーバ４０とゲートウェイ５０とが設けられている。
【００１５】
また、図２は、図１に示すコンテンツ配信システムの機能ブロックの構成例を示す説明図である。
【００１６】
移動端末２０は、１つ以上の物理インタフェース（図示せず。）を備え、それらを利用して基地局６０と接続および接続の切断を行う。なお、移動端末２０が複数の物理インタフェースを備える場合には、これらの物理インタフェースは上位レイヤ（より具体的には、移動端末２０の通信を司るレイヤ層において物理インタフェースの上位レイヤに相当するプログラム群をいう。）からは、１つの仮想インタフェースとして認識される。
【００１７】
その際、移動端末２０の通信アドレス（例えば、ＩＰアドレス）は、通信ネットワーク２００内のノードによって管理され、通信ネットワーク２００との接続・切断の前後で同一に保たれる。複数の物理インタフェースを持つ移動端末に対してこのような移動管理を行うには、例えば、Ｐｒｏｘｙ  Ｍｏｂｉｌｅ  ＩＰｖ６に対してＭｕｌｔｉｐｕｌ  Ｃａｒｅ−ｏｆ  Ａｄｄｒｅｓｓｅｓ  Ｒｅｇｉｓｔｒａｔｉｏｎ相当の拡張を施すことで実現可能である。
【００１８】
基地局６０は、移動端末２０が属する通信システムが備える基地局であって、移動端末２０との間で無線リンクを形成し、無線通信により各種情報のやり取りを行う。なお、図１に示す例では、基地局６０ａと基地局６０ｂの２つの基地局６０を例示しているが、基地局の数は２つに限られない。本実施形態において、基地局６０は、接続情報更新手段６０１を含む。
【００１９】
接続情報更新手段６０１は、移動端末２０との接続状態（ここでは、接続中または切断中のいずれかの状態をいう。）が変化すると、接続情報サーバ３０が保持している当該移動端末２０の接続情報を更新する。すなわち、移動端末２０との間で無線リンクを確立した場合すなわち移動端末２０と接続中となった場合、または移動端末２０との間で確立された無線リンクを解消した場合すなわち移動端末２０と切断となった場合に、接続情報サーバ３０が保持している当該移動端末２０の接続情報を更新する。
【００２０】
接続情報サーバ３０は、各移動端末２０の接続情報を管理するサーバ装置であって、接続情報保持手段３０１を含む。接続情報保持手段３０１は、通信ネットワーク２００における移動端末２０の接続状態に関する情報である接続情報を保持する。接続情報は、例えば、移動端末２０が接続しているまたは備えている物理インタフェースの数、インタフェース毎の状態（接続中または切断中）、通信帯域、３ＧやＷｉＦｉなどの無線接続種別を含んでいてもよい。
【００２１】
図３は、接続情報の例を示す説明図である。図３に示すように、接続情報は、例えば移動端末の識別子と、その移動端末で接続中の物理インタフェースの識別子と通信帯域と無線種別とを含む情報であってもよい。図３に示す例では、「物理インタフェースの数」という項目を直接設けてはいないが、移動端末の識別子とその移動端末で接続中の物理インタフェースの識別子（例えば、ＭＡＣアドレス等）を項目として設けることにより、移動端末２０との通信において現在使用可能な物理インタフェースの数を計数可能としている。
【００２２】
例えば、物理インタフェースの識別子については、移動端末２０が基地局６０への接続または切断の際に通知するようにしてもよい。なお、移動端末２０が基地局６０へ通知する物理インタフェースの識別子は明示的なものでなくてもよい。例えば、移動端末２０のレイヤ２でのリンク確立時に得られるものを利用してもよい。基地局６０では、例えば、移動端末２０とのリンクを確立する際に移動端末２０から通知を受けた物理インタフェースの識別子を、移動端末２０が接続中となったときに接続情報サーバ３０に通知してもよい。
【００２３】
また、無線種別については接続時に基地局６０側で判別すればよい。また、通信帯域については、基地局６０が判別した無線種別から推定するようにしてもよい。または、基地局６０が配下に接続している端末数や混雑具合などのパラメータをもとに推定することも可能である。このように、全ての項目を移動端末２０が通知せずに、基地局６０に判別または推定させることにより、移動端末２０がシグナリングに関わる程度を低くすることができるという利点がある。
【００２４】
図３に示す例では、識別子が「ＭＮ１」である移動端末２０について、通信帯域が２Ｍｂｐｓであり無線種別がＷｉＦｉである物理インタフェースＩＦ１＿１と、通信帯域が３８４Ｋｂｐｓであり無線種別が３Ｇである物理インタフェースＩＦ１＿２とを用いて通信ネットワーク２００に接続していることが示されている。また、識別子が「ＭＮ２」である移動端末２０について、通信帯域が１０Ｍｂｐｓであり無線種別がＷｉＭＡＸである物理インタフェースＩＦ２＿１を用いて通信ネットワーク２００に接続していることが示されている。以下、識別子が「ＭＮ１」である移動端末２０のことを移動端末ＭＮ１と記す場合がある。同様に、識別子が「ＭＮ２」である移動端末２０のことを移動端末ＭＮ２と記す場合がある。
【００２５】
コンテンツサーバ１０は、移動端末２０からの要求を受けてコンテンツの配信を行うサーバ装置であって、接続情報取得手段１０１とコンテンツ配信制御手段１０２とを含む。
【００２６】
接続情報取得手段１０１は、インタフェースサーバ４０に要求することにより、接続情報サーバ３０が保持している接続情報を取得する。接続情報取得手段１０１は、少なくともコンテンツ配信の要求を受けた移動端末２０についての接続情報を取得する。
【００２７】
コンテンツ配信制御手段１０２は、接続情報取得手段１０１により取得された接続情報に基づいて、コンテンツの配信を制御する。コンテンツ配信制御手段１０２は、接続情報によって示される移動端末２０の接続状態に適した方法でコンテンツが配信されるよう、転送データのサイズや速度を調節する。
【００２８】
インタフェースサーバ４０は、通信ネットワーク２００内において、外部ネットワークに向けて提供する機能の受け付け窓口となるサーバ装置であって、外部要求受付手段４０１を含む。外部要求受付手段４０１は、通信ネットワーク２００の外部からの要求を受け、通信ネットワーク２００の構成要素（各種サーバ）の情報の変更、情報の取得などを行う。本実施形態では、主にコンテンツサーバ１０と接続情報サーバ３０との間のメッセージ交換を中継する。より具体的には、コンテンツサーバ１０からの要求に応じて、接続サーバ３０に対して指定された移動端末２０の接続情報を取得し、取得した接続情報をコンテンツサーバ１０に送信する。
【００２９】
本実施形態では、接続情報サーバ３０に対する接続情報の取得は、コンテンツサーバ１０から受け付けた要求メッセージの内容を、当該通信ネットワーク２００の通信プロトコルにおける要求メッセージに変換して送信することにより要求し、その応答を受信することにより行う。接続情報サーバ３０に対する接続情報の取得方法として、直接接続情報サーバ３０にアクセスして接続情報を読み出したり、別途定義された要求メッセージを送信することも可能である。
【００３０】
ゲートウェイ５０は、通信ネットワーク２００とインターネット１００とを相互接続するためのゲートウェイ装置であって、パケット転送手段５０１を含む。パケット転送手段５０１は、プロトコル変換や宛先とされた移動端末の接続基地局への転送などを行う。例えば、移動端末２０の移動管理をＰｒｏｘｙ  Ｍｏｂｉｌｅ  ＩＰ（ＰＭＩＰ）で行う場合にはＬＭＡ（Ｌｏｃａｌ  Ｍｏｂｉｌｉｔｙ  Ａｎｃｈｏｒ）相当の機能を有する。すなわち、ゲートウェイ５０は、移動端末２０に一意に割り当てられるホームアドレスおよび移動端末の固定識別子と、移動先で取得されるケアオブアドレスおよび移動場所の識別子（基地局の識別子等）とを対応づけた経路表を管理（保持、更新）し、宛先とされた移動端末の接続基地局を転送先として特定する機能を有する。
【００３１】
移動端末２０とコンテンツサーバ１０との間の通信は、ゲートウェイ５０を経由して行われ、コンテンツサーバ１０から移動端末２０宛てに送られるパケットは、ゲートウェイ５０が管理する経路表に基づき、その移動端末２０が属する基地局６０に転送されて、移動端末２０に送信される。
【００３２】
また、パケット転送手段５０１は、移動端末２０が複数の物理インタフェースを利用して通信ネットワーク２００に接続している場合には、移動端末２０に対する経路表の複数のエントリに基づき、当該移動端末２０に対応づけられた複数の転送先に対して分散してパケットを転送する。
【００３３】
図４は、パケット転送手段５０１が保持する経路表の例を示す説明図である。図４に示すように、パケット転送手段５０１では、アドレス（プレフィックス）と転送先との対応関係に加えて、そのアドレスがどの移動端末のどのインタフェースのものかを区別できるような情報を保持する。これらの情報は、例えば、ＰＭＩＰの位置管理規則に従って移動端末のハンドオーバーや接続、切断の際に適宜更新される。
【００３４】
パケット転送手段５０１は、パケットの送信先のアドレスからどの移動端末２０宛てかを判別し、さらにその移動端末が有しているどの物理インタフェースを受信インタフェースとするかを判断する。なお、転送先基地局がパケットのアドレスと移動端末との対応関係を関知していない場合には、ゲートウェイ５０と基地局６０間にトンネルをはり、どの移動端末に対するパケットかをトンネルパケットのヘッダに埋め込むことで対応すればよい。
【００３５】
パケット転送手段５０１によるパケットの分散処理は、例えば、同じ移動端末２０に対するパケットの受信インタフェースをラウンドロビンなどの方式を用いて振り分けることにより行ってもよい。また、物理インタフェースの無線種別が異なる場合には、無線種別より特定される帯域を基に分散の割合を変更してもよい。
【００３６】
本実施形態において、接続情報取得手段１０１およびコンテンツ配信制御手段１０２は、例えばコンテンツサーバ１０が備えるＣＰＵ等のプログラムに従って動作するデータ処理装置によって実現される。また、接続情報保持手段３０１は、例えば接続情報サーバ３０が備える記憶装置によって実現される。また、外部要求受付手段４０１は、例えばインタフェースサーバ４０が備えるＣＰＵ等のプログラムに従って動作するデータ処理装置によって実現される。パケット転送手段５０１は、例えばゲートウェイ５０が備えるＣＰＵ等のプログラムに従って動作するデータ処理装置によって実現される。また、接続情報更新手段６０１は、例えば基地局６０が備えるＣＰＵ等のプログラムに従って動作するデータ処理装置によって実現される。
【００３７】
次に、本実施形態の動作について説明する。図５は、本実施形態のコンテンツ配信システムの動作例を示すシーケンス図である。図５に示す例では、移動端末２０が基地局６０と接続または切断されると（ステップＳ１０１）、基地局６０の接続情報更新手段６０１は、接続情報サーバ３０にその移動端末２０についての接続情報の内容を更新するためのメッセージを送信する（ステップＳ１０２）。例えば、接続情報更新手段６０１は、接続中または切断中を示す状態値とともに、移動端末２０の識別子と、接続中への移行の場合には当該接続に用いられている物理インタフェースの情報（識別子、通信帯域、無線種別など）を含む接続情報更新要求を接続情報サーバ３０に送信してもよい。
【００３８】
接続情報サーバ３０は、基地局６０から送信される接続情報更新要求を受信し、その接続情報更新要求に含まれる情報に基づき、接続情報保持手段３０１に保持している接続情報を更新する。
【００３９】
また、移動端末２０は、コンテンツサーバ１０にコンテンツの配信を要求する（ステップＳ１０３）。移動端末２０は、例えば、送信先の識別子としてコンテンツサーバ１０の識別子を含み、送信元の識別子として移動端末２０の識別子を含むコンテンツ配信要求を基地局６０に送信することによって、コンテンツサーバ１０にコンテンツの配信を要求する。移動端末２０の識別子には、ＩＰアドレスや通信ネットワーク２００に接続する際に利用するユーザＩＤ、接続の度に発行される一時的なＩＤのいずれかを用いることができる。
【００４０】
コンテンツ配信要求を受け付けたコンテンツサーバ１０では、接続情報取得手段１０１が、その要求に含まれる移動端末２０の識別子から移動端末２０の接続する通信ネットワーク２００を特定し、その通信ネットワーク２００のインタフェースサーバ４０に対して、該移動端末２０の接続情報を要求する（ステップＳ１０４）。接続情報取得手段１０１は、例えば、移動端末２０の識別子を含む接続情報要求をインタフェースサーバ４０に送信することによって、コンテンツを要求した移動端末２０の接続情報を要求する。
【００４１】
インタフェースサーバ４０の外部要求受付手段４０１は、接続情報要求を受信すると、接続情報サーバ３０から指定された移動端末２０の接続情報を取得し（ステップＳ１０５）、取得した接続情報をコンテンツサーバ１０に接続情報応答として送信する（ステップＳ１０６）。外部要求受付手段４０１は、例えば指定の移動端末２０の接続情報を要求する旨のメッセージを接続情報サーバ３０に送信することにより、応答として接続情報を受信してもよいし、通信ネットワーク２００を介してデータベースアクセスプロトコル等を用いて接続情報サーバ３０の接続情報保持手段３０１にアクセスし、該当する接続情報を読み出してもよい。
【００４２】
インタフェースサーバ４０から接続情報応答を受信したコンテンツサーバ１０では、コンテンツ配信制御手段１０２が、応答により取得された接続情報に基づき、コンテンツの配信制御を行う（ステップＳ１０７）。なお、ステップＳ１０４〜Ｓ１０７までの一連の処理は、コンテンツ配信中に定期的に行ってもよい。
【００４３】
コンテンツ配信制御手段１０２が行うコンテンツの配信制御の例としては、接続情報によって示される移動端末２０との通信で利用可能な帯域（利用帯域）に従って、データの送信レートを増減させることが挙げられる。例えば、ストリーミング配信であれば、ビットレートを利用帯域に合わせてもよい。また、階層符号化されたストリーミングを配信する場合には、拡張レイヤの送信を制御することで、基本レイヤのデータロスを抑える制御を行ってもよい。例えば、利用帯域が十分でないと判断したときに、拡張レイヤの送信を停止し、基本レイヤのみを送信するようにしてもよい。
【００４４】
このような配信制御により、安定した動画配信などを行うことができる。また、コンテンツサーバ１０から通信ネットワーク２００内に送られる不要なデータの送信を抑制することができる。
【００４５】
以上のように、本実施形態によれば、ゲートウェイ５０が分散パケット転送を行うとともに、コンテンツサーバ１０が配信先である移動端末２０の接続情報を利用して、移動端末２０のその時々の接続状態に適したコンテンツ配信制御を行うことができるので、移動端末に提供するコンテンツ配信サービスにおける品質の劣化防止または向上を図ることができる。
【００４６】
例えば、接続するインタフェースの追加や変更に応じて、コンテンツの配信サービスにおける画質や速度などの品質を追従させることができる。
【００４７】
実施形態２．
次に、本発明の第２の実施形態について説明する。図６は、本実施形態のコンテンツ配信システムの構成例を示すブロック図である。図６に示すコンテンツ配信システムは、図２に示す第１の実施形態と比べて、接続情報サーバ３０とコンテンツサーバ１０とインタフェースサーバ４０の機能が異なる。以下、それぞれ接続情報サーバ３１、コンテンツサーバ１１、インタフェースサーバ４１のように新たな符号を付して区別する。なお、他の構成要素については第１の実施形態と同様であり、第１の実施形態と同じ符号を付して詳細な説明を省略する。
【００４８】
本実施形態において、接続情報サーバ３１は、さらに接続情報通知手段３１１を含む。接続情報通知手段３１１は、インタフェースサーバ４１に対して、コンテンツサーバ１１に向けた接続情報更新通知を行う。この接続更新通知は、通知の有効／無効を移動端末毎に管理する設定情報に基づき行う。すなわち、有効と設定されている移動端末の接続情報が更新されたときに、インタフェースサーバ４１に対して自発的に接続情報の通知を行う。
【００４９】
また、コンテンツサーバ１１は、接続情報取得手段１０１に代えて接続情報更新通知要求手段１１１を含む。接続情報更新通知要求手段１１１は、インタフェースサーバ４１に要求することにより、接続情報サーバ３１に対して、接続情報の更新通知を要求する。この要求は、インタフェースサーバ４１に接続情報更新通知要求を送信することにより行う。
【００５０】
また、インタフェースサーバ４１は、外部要求受付手段４１１を含む。本実施形態の外部要求受付手段４１１は、第１の実施形態における外部要求受付手段４０１の機能に加えて、コンテンツサーバ１１から接続情報更新通知要求を受けた場合に、接続情報サーバ３１に対して接続更新通知の設定を行う。なお、設定処理が完了したタイミングで、通知設定の成否を接続更新通知応答としてコンテンツサーバ１１に返信してもよい。その際、現在の接続情報を含めてもよい。また、接続情報サーバ３１から接続情報の更新通知を受けた場合に、コンテンツサーバ１１に対して更新された接続情報を送信する。
【００５１】
本実施形態において、接続情報通知手段３１１は、例えば接続情報サーバ３１が備えるＣＰＵ等のプログラムに従って動作するデータ処理装置によって実現される。また、接続情報更新通知要求手段１１１は、コンテンツサーバ１１が備えるＣＰＵ等のプログラムに従って動作するデータ処理装置によって実現される。なお、他の点に関しては第１の実施形態と同様である。
【００５２】
次に、本実施形態の動作について説明する。図７は、本実施形態のコンテンツ配信システムの動作例を示すシーケンス図である。図７に示す例では、移動端末２０からのコンテンツサーバ１１へのコンテンツの配信要求後（ステップＳ１０３）、コンテンツサーバ１１の接続情報更新通知要求手段１１１は、インタフェースサーバ４１に対して、接続情報の更新通知を要求する旨のメッセージである接続更新通知要求を送信する（ステップＳ１１１）。接続更新通知要求には、例えば、要求元の識別子としてコンテンツサーバ１１の識別子と、どの移動端末についての接続情報の更新を通知するかの指定として移動端末の識別子とを含めてもよい。
【００５３】
接続更新通知要求を受信したインタフェースサーバ４１の外部要求受付手段４１１は、接続情報サーバ３１に対して、指定された移動端末２０の接続情報に変更があった場合に接続情報を通知をするように設定を行う。ここでは、接続情報サーバ３１に、接続情報の更新通知を設定する旨のメッセージである接続更新通知設定を送信する（ステップＳ１１２）。この設定により、接続情報サーバ３１では、設定情報として指定された移動端末２０について更新通知が有効である旨、およびその接続情報の通知先としてコンテンツサーバ１１の識別子（ＩＰアドレスまたはホスト名）が保持される。
【００５４】
このような設定処理が完了したタイミングで、インタフェースサーバ４１の外部要求受付手段４１１は、接続更新通知設定の成否をコンテンツサーバ１０に応答してもよい（ステップＳ１１３）。また、接続更新通知応答には、現在の接続情報を付加してもよい。また、コンテンツサーバ１１のコンテンツ配信制御手段１０２は、接続更新通知要求後、受信した接続情報またはデフォルトの接続情報値に基づいて、移動端末２０へのコンテンツの配信を行ってもよい（ステップＳ１０７）。
【００５５】
接続更新通知設定がされた後、移動端末２０が基地局６０との接続を切断したり、新たに接続を行うと（ステップＳ１０１）、基地局６０の接続情報更新手段６０１は、第１の実施形態と同様に、接続情報サーバ３１が保持している該移動端末２０の接続情報を更新するためのメッセージ（接続情報更新要求）を送信する（ステップＳ１０２）。
【００５６】
接続情報サーバ３１の接続情報通知手段３１１は、このような接続情報更新要求を受けると、設定情報を参照し更新した接続情報の通知設定が有効である場合には、更新後の接続情報を含む接続更新通知をインタフェースサーバ４１を介してコンテンツサーバ１１に送信する（ステップＳ１１４，Ｓ１１５）。
【００５７】
コンテンツサーバ１１のコンテンツ配信制御手段１０２は、インタフェースサーバ４１から接続更新通知を受信すると、その接続更新通知に含まれる接続情報に基づいて、コンテンツの配信制御を行う（ステップＳ１０７）。
【００５８】
本実施形態では、移動端末２０が例えば電波状況の変化によって、基地局６０から接続（ハンドオーバーを含む）または切断をしたタイミングで、コンテンツサーバ１１に接続情報が通知されるよう構成されているため、移動端末２０の移動による接続状態の変化にリアルタイムで追従したコンテンツの配信制御が可能となる。
【００５９】
実施形態３．
次に、本発明の第３の実施形態について説明する。図８は、本実施形態のコンテンツ配信システムの構成例を示すブロック図である。図８に示すコンテンツ配信システムは、図２に示す第１の実施形態の例と比べて、ゲートウェイ５０とコンテンツサーバ１０とインタフェースサーバ４０の機能が異なる。以下、それぞれゲートウェイ５２、コンテンツサーバ１２、インタフェースサーバ４２のように新たな符号を付して区別する。なお、他の構成要素については第１の実施形態と同様であり、第１の実施形態と同じ符号を付して詳細な説明を省略する。
【００６０】
本実施形態において、ゲートウェイ５２は、パケット転送手段５０１に加えてまたはパケット転送手段５０１に代えて、フロー転送情報記憶手段５２１とフロー転送手段５２２とを含む。
【００６１】
フロー転送情報記憶手段５２１は、コンテンツサーバ１２から移動端末２０に送信されるパケットが属するフローと転送先との対応関係を示す情報であるフロー転送情報を記憶する。ここで、フローとは、パケット内の各フィールドによって識別される一連のパケットをいう。例えば、ＩＰパケットヘッダのＩＰアドレス、ポート番号、ＴｏＳ（ｔｙｐｅ  ｏｆ  ｓｅｒｖｉｃｅ）フィールドのうち１つまたは複数が同一であるパケットを１つのフローとして扱う。なお、フローの識別に利用するフィールドのレイヤや種類は上記例に限らない。
【００６２】
フロー転送情報記憶手段５２１は、例えばフロー転送情報として、コンテンツサーバ１２から移動端末２０に送信されるパケットが属するフローを識別するためのフロー識別情報と、フロー識別情報により識別されるフロー毎の転送先を示す情報とを含む情報を保持してもよい。フロー識別情報は、例えば、パケットのフィールドの内容に対応づけたフローの定義などフローを識別するための規則を記述した情報である。また、転送先情報は、パケットの宛先である移動端末２０のどの物理インタフェースに対してパケットを届けるかを表す情報であればよい。フロー転送情報記憶手段５２１が保持するフロー転送情報は、少なくともインタフェースサーバ４２からの要求に応じて更新可能とする。
【００６３】
また、フロー転送手段５２２は、フロー転送情報記憶手段５２１に保持されているフロー転送情報に基づき、コンテンツサーバ１２から送信されるパケットの受信インタフェースを決定し、その受信インタフェースに到達されるようパケットを転送する。フロー転送手段５２２は、当該フロー転送手段５２２に到達したパケットのフィールドを参照して、フロー転送情報に登録されているエントリの中からそのフロー識別情報によって識別されるフローに当該パケットが該当するものを検索し、エントリが見つかればそのエントリの転送先として示されている物理インタフェースを受信インタフェースとして特定する。そして、その物理インタフェースを有する移動端末２０がその物理インタフェースを用いて接続している基地局６０にパケットを転送する。
【００６４】
また、コンテンツサーバ１２は、さらにフロー転送設定要求手段１２１を含む。また、コンテンツ配信制御手段１０２に代えてコンテンツ配信制御手段１２２を含む。
【００６５】
フロー転送設定要求手段１２１は、コンテンツ配信に用いるパケットを、フローという単位で扱い、フロー毎に転送先を指定可能な転送方法であるフロー転送方法を決定する。そして、その転送方法を示したフロー転送情報の設定をインタフェースサーバ４２に要求することにより、ゲートウェイ５２が保持するフロー転送情報を更新する。フロー転送方法の決定は、取得した移動端末２０の接続情報を利用して行う。例えば、ＩＰヘッダのＴｏＳフィールド中のＩＰ  Ｐｒｅｃｅｄｅｎｃｅをフローの識別に利用し、基本レイヤの優先度が高く、拡張レイヤの優先度が低くなるようにフロー転送方法を決定してもよい。そのような場合には、基本レイヤと拡張レイヤを異なるフローとして扱う設定とし、基本レイヤが低速のインタフェースに、拡張レイヤが高速のインタフェースに届くようなフロー設定情報を設定することで、基本レイヤのロスを抑えつつ、拡張レイヤによる高品質化を図ることが可能である。
【００６６】
図９は、フロー転送情報の例を示す説明図である。図９に示す例では、移動端末ＭＮ１宛てのパケットについて、送信元ＩＰアドレスがコンテンツサーバのＩＰアドレスを示すＣＳａｄｄｒであり、かつＴｏＳフィールド中のＩＰ  Ｐｒｅｃｅｄｅｎｃｅの値が０であるパケットについては、物理インタフェースＩＦ１＿１に転送する旨の設定内容が示されている。また、送信元ＩＰアドレスがコンテンツサーバのＩＰアドレスを示すＣＳａｄｄｒであり、かつＴｏＳフィールド中のＩＰ  Ｐｒｅｃｅｄｅｎｃｅの値が１であるパケットについては、物理インタフェースＩＦ１＿２に転送する旨の設定内容が示されている。
【００６７】
ゲートウェイ５２のフロー転送手段５２２では、このようなフロー転送情報に基づいて、移動端末２０宛てのパケットが属するフローを認識し、フロー毎の転送先として受信異端フェースを特定する。そして、第１の実施形態において説明した当該ゲートウェイ５２のパケット転送機能により管理される経路情報で示される物理インタフェースと転送先基地局の対応関係を基に、受信インタフェースから転送先の基地局を特定してパケットの転送を行う。このようにしてフロー毎の転送制御を行う。
【００６８】
コンテンツ配信制御手段１２２は、フロー転送設定要求手段１２１が設定したフロー転送情報に基づき、移動端末２０に対するパケットにフロー情報を埋め込んで送信することによってコンテンツの配信制御を行う。フロー情報とは、ゲートウェイ５０に当該パケットが属するフローを識別させるための情報であって、具体的には、フロー設定情報においてフロー識別情報として登録したフィールドの内容をいう。例えば、図９に示すフロー転送情報が設定されている場合には、基本レイヤのＩＰ  Ｐｒｅｃｅｄｅｎｃｅの値を１、拡張レイヤのＩＰ  Ｐｒｅｃｅｄｅｎｃｅの値を０として埋め込み、パケットを送信すればよい。
【００６９】
フローとして識別させる単位としては、例えば、そのフローだけでアプリケーションに対して意味のあるデータとなることを１つの基準とすることができる。また、フロー間に相互依存関係を持たせないようにフローを分類することも有効であるが、これらは必須条件ではなく、転送先を選別したい単位で分類すればよい。例えば、上記で示した例のように基本レイヤは独立して意味のあるデータであるが拡張レイヤは基本レイヤに依存している場合であっても別フローとすることが可能である。
【００７０】
基本レイヤと拡張レイヤとによる分類の他にも、例えば、図１０に示すようにサーバ毎に別フローとしたり、また、図１１に示すようにプロトコル毎に別フローとすることも考えられる。図１０および図１１は、フロー転送情報の他の例を示す説明図である。なお、図１０および図１１において、上から優先してルールが適用されるとする。
【００７１】
次に、本実施形態の動作について説明する。図１２は、本実施形態のコンテンツ配信システムの動作例を示すシーケンス図である。なお、ステップＳ１０１〜Ｓ１０６については図５に示す第１の実施形態と同様であり、基地局６０による移動端末２０との接続または切断に応じた接続情報の更新処理（ステップＳ１０１〜Ｓ１０２）、移動端末２０によるコンテンツの要求処理（ステップＳ１０３）、およびコンテンツサーバ１２による移動端末２０の接続情報の取得処理（ステップＳ１０４〜Ｓ１０６）については説明を省略する。
【００７２】
本実施形態では、図１２に示すように、コンテンツサーバ１２が移動端末２０の接続情報を受信すると（ステップＳ１０６）、受信した接続情報に基づいて移動端末２０へのコンテンツ配信に用いるフロー転送方法を決定する。コンテンツサーバ１２のフロー転送設定要求手段１２１は、フロー転送方法として、少なくともフローの識別方法とフロー毎の転送先物理インタフェースを決定し、決定した内容を示すフロー転送情報を生成する。そして、生成したフロー転送情報を通信ネットワーク２００に適用させるために、インタフェースサーバ４２にフロー転送情報の設定を要求する。コンテンツサーバ１２は、例えば、フロー転送情報の設定を要求する旨の情報と、設定したいフロー転送情報とを含むフロー転送設定要求をインタフェースサーバ４２に送信する（ステップＳ１２１）。
【００７３】
インタフェースサーバ４２の外部要求受付手段４２１は、この要求を受けてゲートウェイ５２のフロー転送情報記憶手段５２１の内容を更新する。外部要求受付手段４２１は、例えば、更新内容であるフロー転送情報を含むフロー転送設定をゲートウェイ５２に送信する（ステップＳ１２２）。フロー転送設定を受信したゲートウェイ５２は、受信したフロー転送設定に含まれるフロー転送情報に基づき、フロー転送情報記憶手段５２１の内容を更新する。このような更新処理が完了したタイミングで、外部要求受付手段４２１は、フロー転送設定の成否をフロー転送設定応答としてコンテンツサーバ１２に返信してもよい（ステップＳ１２３）。
【００７４】
フロー転送設定が成功すると、コンテンツサーバ１２のコンテンツ配信制御手段１２２は、ステップＳ１２１の際に接続情報に基づき決定したフロー転送方法に応じて、移動端末２０を宛先とする送信パケットに、転送先とする受信インタフェースを選別させるためのフロー情報を埋め込みながらコンテンツ配信を行う（ステップＳ１２４）。
【００７５】
以上のように、本実施形態によれば、コンテンツサーバ１２において、フローごとに移動端末の受信インタフェースを設定できる。そのため、より粒度の細かいコンテンツの配信制御が可能である。
【００７６】
なお、本実施形態は、第２の実施形態と組み合わせて、移動端末２０の接続または切断のタイミングで接続情報が通知されるようにすることも可能である。
【００７７】
また、第１〜第３の実施形態では、インタフェースサーバと接続情報サーバとが異なるサーバ装置により実装される例を示しているが、このような構成はＷｉＭＡＸ  ＵＳＩと対応させた例であって、例えば、インタフェースサーバを介さずに、コンテンツサーバが接続情報サーバやゲートウェイと直接通信することも可能である。そのような場合にはインタフェースサーバは省略可能である。
【００７８】
また、例えば、接続情報サーバとゲートウェイを１つの装置で実現し、ＰＭＩＰの移動管理のシグナリングと接続情報更新メッセージをまとめることで、シグナリングを抑制させる構成も可能である。
【００７９】
次に、本発明の概要について説明する。図１３は、本発明の概要を示すブロック図である。本発明のコンテンツ配信システムは、１つ以上の物理インタフェースを有する移動端末１と、基地局２と、接続情報サーバ３と、コンテンツサーバ５とを備える。
【００８０】
基地局２は、移動端末１が物理インタフェースを用いて無線通信を行う基地局であって、接続情報更新手段２１を含む。接続情報更新手段２１（例えば、接続情報更新手段６０１）は、移動端末１との間の接続状態が変化すると、接続情報サーバ３に、その移動端末１についての接続情報を更新させる。
【００８１】
接続情報サーバ３は、基地局２を備える通信システム内の通信ネットワーク４により基地局２と接続されているサーバ装置であって、接続情報保持手段３１を含む。接続情報保持手段３１（例えば、接続情報保持手段３０１）は、少なくとも移動端末が基地局との接続に用いている物理インタフェースの情報を含む接続情報を保持する。
【００８２】
コンテンツサーバ５は、移動端末１にコンテンツを配信するサーバ装置であって、接続情報取得手段５１と、コンテンツ配信制御手段５２とを含む。接続情報取得手段５１（例えば、接続情報取得手段１０１）は、接続情報サーバ３から、コンテンツの配信を要求された移動端末１についての接続情報を取得する。コンテンツ配信制御手段５２（例えば、コンテンツ配信制御手段１０２）は、接続情報取得手段５１により取得された接続情報に基づき、コンテンツの配信を制御する。
【００８３】
なお、接続情報取得手段５１は、取得方法の一つとして、接続情報サーバに、指定した移動端末の接続情報の更新を通知する旨の設定を行わせてもよい。または、そのような設定を行う接続更新通知設定手段（図示せず。）を接続情報取得手段５１が有していてもよい。なお、接続情報取得手段５１の代替手段として接続更新通知設定手段を備える構成であってもよい。なお、この接続更新通知設定手段の例は、上記実施形態において接続情報更新通知要求手段１１１として開示されている。
【００８４】
接続情報取得手段５１または接続更新通知設定手段がそのような設定を行う場合には、接続情報サーバ２が、接続情報が更新されると、当該接続情報の更新通知の設定内容に応じて、更新後の接続情報を通知する接続更新通知手段を含んでいればよい。
【００８５】
また、接続情報保持手段３１は、接続情報として、移動端末が有する接続物理インタフェースの数、インタフェース毎の利用可能帯域、物理インタフェースの種類、移動端末が基地局との接続に用いている物理インタフェースの識別子のうち少なくとも１つを含む情報を保持してもよい。
【００８６】
また、コンテンツ配信システムは、コンテンツサーバと移動端末間のパケットの転送を行うゲートウェイ装置６を備えていてもよい。また、ゲートウェイ装置６は、宛先とされた移動端末１が複数の物理インタフェースを用いて基地局２と接続している場合に、コンテンツサーバ５から移動端末１へのパケットを、複数の物理インタフェースに分散させて転送するパケット転送手段６１を含んでいてもよい。なお、このパケット転送手段６１の例は、上記実施形態においてパケット転送手段５０１として開示されている。
【００８７】
また、ゲートウェイ装置６が、フロー転送情報記憶手段（図示せず。）と、フロー転送手段（図示せず。）とを含み、コンテンツサーバ５がフロー転送設定手段（図示せず。）を含んだ構成であってもよい。フロー転送情報記憶手段（例えば、フロー転送情報記憶手段５２１）は、コンテンツサーバ５から移動端末１へのパケットが属するフローと転送先との対応関係を示すフロー転送情報を記憶する。フロー転送手段（例えば、フロー転送手段５２２）は、フロー転送情報記憶手段に保持されているフロー転送情報に基づいて、コンテンツサーバ５から移動端末１へのパケットが属するフローを識別し転送する。
【００８８】
また、コンテンツサーバ５のフロー転送設定手段（例えば、フロー転送設定要求手段１２１）は、接続情報取得手段により取得された接続情報に基づき、フロー転送情報記憶手段に記憶されているフロー転送情報を更新する。そのような構成において、コンテンツ配信制御手段５２は、コンテンツ配信に用いるパケットに、フロー転送設定手段が更新したフロー転送情報に登録しているフローに属することを識別させるためのフロー情報を埋め込んで、送出してもよい。なお、このようなコンテンツ配信制御手段５２の例は、上記実施形態においてコンテンツ配信制御手段１２２として開示されている。
【００８９】
また、コンテンツ配信制御手段５２は、コンテンツの配信制御として、データの送信レートの増減、拡張レイヤの送信有無の決定のうち少なくとも１つを行ってもよい。
【産業上の利用可能性】
【００９０】
本発明は、特に移動端末が有する物理インタフェースがユーザ都合により変更されうる通信システムにおいてコンテンツ配信サービスを提供する場合に好適に適用可能である。
【符号の説明】
【００９１】
１０，１１，１２  コンテンツサーバ
１０１  接続情報取得手段
１０２  コンテンツ配信制御手段
１１１  接続情報更新通知要求手段
１２１  フロー転送設定要求手段
２０  移動端末
３０  接続情報サーバ
３０１  接続情報保持手段
３１１  接続情報通知手段
４０，４１，４２  インタフェースサーバ
４０１，４１１，４２１  外部要求受付手段
５０，５２  ゲートウェイ
５０１  パケット転送手段
５２１  フロー転送情報記憶手段
５２２  フロー転送手段
６０，６０ａ，６０ｂ  基地局
６０１  接続情報更新手段
２００  通信ネットワーク
１００  インターネット
１  移動端末
２  基地局
２１  接続情報更新手段
３  接続情報サーバ
３１  接続情報保持手段
４  通信ネットワーク
５  コンテンツサーバ
５１  接続情報取得手段
５２  コンテンツ配信制御手段
６  ゲートウェイ装置
【図１】
2010287039.tif 000003
【図２】
2010287039.tif 000004
【図３】
2010287039.tif 000005
【図４】
2010287039.tif 000006
【図５】
2010287039.tif 000007
【図６】
2010287039.tif 000008
【図７】
2010287039.tif 000009
【図８】
2010287039.tif 000010
【図９】
2010287039.tif 000011
【図１０】
2010287039.tif 000012
【図１１】
2010287039.tif 000013
【図１２】
2010287039.tif 000014
【図１３】
2010287039.tif 000015